(57)【要約】【課題】  取付体を支持しながら水平度若しくは垂直度を測定し取付できる水準器を提供することである。【解決手段】  水準器の一端に指を挿入できる筒状にした指挿入部を設けて、挿入した指により水準器を保持しながら、取付体を他の指で支持し、水平度若しくは垂直度を測定しながら壁面等に取り付けることができる。【選択図】図１
2011112638.tif 000002
【特許請求の範囲】
【請求項１】
水準器の一端に指を着脱自在にできる指装着部を設けて、前記指装着部に指を挿入して水準器を保持することできることを特徴とする水準器。
【請求項２】
前記水準器と前記指装着部との間に弾力を持った材質で接合する。よって指の圧力により測定部材に密接できることを特徴とする請求項１記載の水準器。
【発明の詳細な説明】
【技術分野】
【０００１】  本発明は、取付体を支持して水平、若しく垂直を測定しながら壁面等に取付できる水準器に関する。
【背景技術】
【０００２】  従来、水準器を用いて取付体を壁面等に取付けるさい、水平、若しくは垂直を正確に測定しながら取付けにおいて、水準器が落下しないように工夫をする必要がある。【０００３】  また、前記水準器を前期取付けたいに固定することが困難であるとき、前記水準器を前記取付体より着脱して測定を何度か繰り返すことが行はれる。【０００４】  上記に示した、これらのことから作業効率が悪いものである。
【先行技術文献】
【０００５】  そこで、測定物と接する側に磁石を固定し、磁気感応体に自力で接着できる水平器が提案されている。（例えば特許文献１）
【０００６】  また、水準器の一平面を再剥離粘着剤塗布面に形成し、その面に対称方向の平面には永久磁石体を設けてなる取付け具付水準器が提案されている。
【０００７】
【特許文献１】  実用新案公開  昭５４−１７２７５４号広報
【特許文献２】  登録実用新案  第３０１１０９８号広報
【発明の概要】
【発明が解決しようとする課題】
【０００８】  しかしながら、従来のような水平器では下記のような問題がある。
永久磁石を設けたものにおいては、測定部材が鉄で構成の磁性体で磁石を吸着して、測定しながら取り付けが可能であるが、非磁性体では無理が生じる。
また、再剥離粘着剤塗布面を用いた水準器においても、厚みの薄いが材料においては不向きである。例えば配線器具のコンセントプレート、モールド等様々である。【０００９】  そこで本発明は、上記の課題に鑑みて、水準器の一端に指を挿入できる筒状を形成する。前記筒状に指を挿入によって水準器を保持して取付体の水平、若しくは垂直を測定しながら、他の指で取付体を支持することで壁面等に取付工事ができるものである。
【課題を解決するための手段】
【００１０】  上記目的を達成するために、本発明は水準器の一端に指を着脱自在にできる指装着部を設けて、前記指挿入部に指を挿入して水準器を保持することができることを特徴とする。【００１１】  また、前記水準器と前記指装着部との間に弾力を持った材質で接合する。よって指の圧力により取付体に密着できることを特徴とする。
【発明の効果】
【００１２】  本発明は、以上説明したように構成されているので、以下に記載されているような効果を奏する。【００１３】  本発明の水準器は、取付体に対して測定を継続しながら取付体の取り付け作業ができる。よって水準器を取付体に固定できない状況であっても、水平、若しくは垂直を正確にして壁面等に取付工事ができ作業の効率を高めることができるものである。特に肉厚の薄い材料、例えば電気工事のコンセントプレートなど、あるいは垂直に取付ける材料、例えばアンテナのマスト、配管工事などである。
【図面の簡単な説明】
【００１４】
【図１】  本発明の第一実施例を示す水準器の斜視図である。
【図２】  図１の平面図である。
【図３】  図１の垂直気泡管側より見た側面図である。
【図４】  図１の指装着部側より見た側面図である。
【図５】  本発明の第二実施例示す水準器の斜視図である。
【図６】  本発明の水準器を用いて、取付体を壁面に取り付ける要部正面図である。
【発明を実施するための形態】
【００１５】  本発明の実施の形態について図面を参照して説明する。
【００１６】  図１、図２、図３、図４は本発明に係る水準器の第一実施例の図である。
図１は水準器の一端に指装着部を設けた斜視図、図２は図１の平面図である。
図６は取付体を壁面に取付るとき水準器を用いて行う正面図である。
【００１７】  図中の１は水準器で、２は水平気泡管で水準器の中央に設ける。３は水平気泡、４は垂直気泡管で水準器の先端に、水平気泡管２に対して直角に設ける。５は垂直気泡である。１０は指、７は指装着部で水準器１の一端に設けて、８の指挿入口を形成している。９は水準器１と指装着部７の接続部である。６は基準底面で変形のない硬い材質で底面を構成する。また１１は取付体、１２は壁面である。１３は取付体の上面である。
【００１８】  したがって、上記の構成により壁面１２に取付体１１を水平に取り付ける作業において、水準器１一端の指装着部７の指挿入口８に何れかの指１０を挿入して水準器１を保持する。ここで図６に示すごとく壁面１２に取付体１１を仮止めの状態で指１０の保持した水準器１によって取付体１１の上面１５に水準器１の基準底面６を接触する、上面１３に接触のさい指１０の押圧によって密接させて水平の測定をしながら、他の指によって取付体１１を支持する。ここで水平気泡管２の水平気泡３見ながら水平測定し、取付体１１の水平位置が確定をしてその時点で取付体１１を支持した指で位置変化しないようにしながら、他方の手によって取付体１１を固定する作業をおこなうことで、固定作業中に水準器１による測定を継続しながらできる。よって測定の再確認することなく正確で効率の良い作業ができるものである。
【００１９】  これらの作業として、例えば電気工事のコンセント工事の連続作業、エアコンの取り付け板、分電盤、スイッチボックス、換気扇等などである。
【００２０】  さらに、垂直工事におけるアンテナ工事のマスト工事や配管工事においては、前記水平の測定作業と同様にして、指１０で保持した水準器１の基準底面６をマスト、あるいは配管に接し、指１０によってお指圧しながら、垂直気泡管４の垂直気泡５の中央の位置を見ながら測定し、位置確定をしてマスト、あるいは配管を固定する作業を行うものである。
【００２１】  また、図５は本発明の第二実施例で、水準器１と指装着部７の接続部分において、材質に弾力性を有した接続部９Ａに設ける。
【００２２】  したがって、上記の構成により図６に示す取付体１１を壁面１２に取り付けるとき、取付体１１の上面１３に接した水準器１に対して、指装着部７に挿入した指１０の押圧とともに接続部９Ａの弾力性により水準器１と上面１３に接しやすく、さらに接続部９Ａが曲がりやすいことから水準器１を押さえることからの密接の具合が容易であり、測定も正確におこなうことができる。
【００２３】  なお、水準器１本体と指装着部７の間の接続部９、９Ａにバネ材を設けて、バネの反発力によって取付体１１の上面１３に密接することで効果的作業ができる。
【符号の説明】
【００２４】    １は水準器                            ２は水平気泡管
３は水平気泡                          ４は垂直気泡管
５は垂直気泡                          ６は基準底面
７は指装着部                          ８は指挿入口
９、９Ａは接続部                      １０は指
１１は取付体                          １２は壁面
１３は上面
【図１】
2011112638.tif 000003
【図２】
2011112638.tif 000004
【図３】
2011112638.tif 000005
【図４】
2011112638.tif 000006
【図５】
2011112638.tif 000007
【図６】
2011112638.tif 000008
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
水準器の一端に指を着脱自在にできる指装着部を設けて、前記水準器と前記指装着部との間に弾力を持った材質で接合する。よって指の圧力により測定部材に密接できることを特徴とする水準器。
【手続補正２】
【補正対象書類名】明細書
【補正対象項目名】全文
【補正方法】変更
【補正の内容】
【発明の詳細な説明】
【発明の詳細な説明】
【技術分野】
【０００１】  本発明は、本発明は、取付体を支持して水平、若しく垂直を測定しながら壁面等に取付できる水準器に関する。
【背景技術】
【０００２】  従来、水準器を用いて取付体を壁面等に取付けるさい、水平、若しくは垂直を正確に測定しながら取付けにおいて、水準器が落下しないように工夫をする必要がある。【０００３】  また、前記水準器を前期取付けたいに固定することが困難であるとき、前記水準器を前記取付体より着脱して測定を何度か繰り返すことが行はれる。【０００４】  上記に示した、これらのことから作業効率が悪いものである。
【先行技術文献】
【０００５】  そこで、測定物と接する側に磁石を固定し、磁気感応体に自力で接着できる水平器が提案されている。（例えば特許文献１）
【０００６】  また、水準器の一平面を再剥離粘着剤塗布面に形成し、その面に対称方向の平面には永久磁石体を設けてなる取付け具付水準器が提案されている。
【０００７】
【特許文献１】  実用新案公開  昭５４−１７２７５４号広報
【特許文献２】  登録実用新案  第３０１１０９８号広報
【発明の概要】
【発明が解決しようとする課題】
【０００８】  しかしながら、従来のような水平器では下記のような問題がある。
永久磁石を設けたものにおいては、測定部材が鉄で構成の磁性体で磁石を吸着して、測定しながら取り付けが可能であるが、非磁性体では無理が生じる。
また、再剥離粘着剤塗布面を用いた水準器においても、厚みの薄いが材料においては不向きである。例えば配線器具のコンセントプレート、モールド等様々である。【０００９】  そこで本発明は、上記の課題に鑑みて、水準器の一端に指を挿入できる筒状を形成する。前記筒状に指を挿入によって水準器を保持して取付体の水平、若しくは垂直を測定しながら、他の指で取付体を支持することで壁面等に取付工事ができるものである。
【課題を解決するための手段】
【００１０】  上記目的を達成するために、本発明は水準器の一端に指を着脱自在にできる指装着部を設けて、前記水準器と前記指装着部との間に弾力を持った材質で接合する。よって指の圧力により取付体に密着できることを特徴とする。
【発明の効果】
【００１１】  本発明は、以上説明したように構成されているので、以下に記載されているような効果を奏する。【００１２】  本発明の水準器は、取付体に対して測定を継続しながら取付体の取り付け作業ができる。よって水準器を取付体に固定できない状況であっても、水平、若しくは垂直を正確にして壁面等に取付工事ができ作業の効率を高めることができるものである。特に肉厚の薄い材料、例えば電気工事のコンセントプレートなど、あるいは垂直に取付ける材料、例えばアンテナのマスト、配管工事などである。
【図面の簡単な説明】
【００１３】
【図１】本発明の実施例を示す水準器の斜視図である。
【図２】図１の平面図である。
【図３】図１の垂直気泡管側より見た前面図である。
【図４】図１の指装着部側より見た後面図である。
【図５】本発明の接続部の弾力性を示した状態の側面図である。
【図６】本発明の水準器を用いて、取付体を壁面に取り付ける要部正面図である。
【図７】垂直気泡管を基準底面に対して直角に設けた側面図である。
【発明を実施するための形態】
【００１４】  本発明の実施の形態について図面を参照して説明する。
【００１５】  図１、図２、図３、図４は本発明に係る水準器の実施例の図である。
図１は水準器の一端に指装着部を設けた斜視図、図２は図１の平面図である。
図４は接続部の弾力性を示すもので、弾力によって上下に作用する状態の側面図
図６は取付体を壁面に取付るとき水準器を用いて行う正面図である。
【００１６】  図中の１は水準器で、６は基準底面、２は水平気泡管で、基準底面６を水平状態にしたとき水平測定ができるように設ける。３は水平気泡、４は垂直気泡管で、基準底面６を垂直状態にしたとき垂直測定ができるように設ける。５は垂直気泡である。１０は指、７は指装着部で水準器１の一端に設けて、８の指挿入口を形成している。９は水準器１と指装着部７の接続部で弾力性を持っている。また、基準底面６は変形のない硬い材質で底面を構成する。また１１は取付体、１２は壁面である。１３は取付体の上面である。
【００１７】  したがって、上記の構成により壁面１２に取付体１１を水平に取り付ける作業において、水準器１一端の指装着部７の指挿入口８に何れかの指１０を挿入して水準器１を保持する。ここで図６に示すごとく壁面１２に取付体１１を仮止めの状態で指１０の保持した水準器１によって取付体１１の上面１５に水準器１の基準底面６を接触する、上面１３に接触のさい指１０の押圧によって接触させる。このとき押圧とともに接続部９の弾力性により曲がりやすいことから水準器１と上面１３に密着する。よって、水平の測定をしながら、他の指によって取付体１１を支持する。ここで水平気泡管２の水平気泡３見ながら水平測定し、取付体１１の水平位置が確定をしてその時点で取付体１１を支持した指で位置変化しないようにしながら、他方の手によって取付体１１を固定する作業をおこなうことで、固定作業中に水準器１による測定を継続しながらできる。よって測定の再確認することなく正確で効率の良い作業ができるものである。
【００１８】  また、垂直工事におけるアンテナ工事のマスト工事や配管工事においては、前記水平の測定作業と同様にして、指１０で保持した水準器１の基準底面６をマスト、あるいは配管に接し、指１０によってお指圧しながら、他の指でマスト、あるいは配管を支持しながら垂直気泡管４の垂直気泡５の中央の位置を見ながら測定し、位置確定をしてマスト、あるいは配管を固定する作業を行うものである。
【００１９】  これらの作業として、例えば電気工事のコンセント工事の連続作業、エアコンの取り付け板、分電盤、スイッチボックス、換気扇等などである。
【００２０】  また、図７は１Ａは水準器、２Ａは水平気泡管、３Ａは水平気泡、４Ａは垂直気泡管、５Ａは垂直気泡、６Ａは基準底面、７Ａ，は指装着部、９Ａは接続部である。
垂直気泡管４Ａを基準底面６Ａに対して直角に設けた構造で、前記図１から図６に示した構造と同様の効果である。
【００２１】  なお、水準器１本体と指装着部７の間の接続部９にバネ材を設けて、バネの反発力によって取付体１１の上面１３に密接することで効果的作業ができる。
【符号の説明】
【００２２】１、１Ａは水準器
２、２Ａは水平気泡管
３、３Ａは水平気泡
４、４Ａは垂直気泡管
５、５Ａは垂直気泡
６、６Ａは基準底面
７、７Ａは指装着部
８は指挿入口
９、９Ａは接続部
１０は指
１１は取付体
１２は壁面
１３は上面
【手続補正３】
【補正対象書類名】図面
【補正対象項目名】全図
【補正方法】変更
【補正の内容】
【図１】
2011112638.tif 000009
【図２】
2011112638.tif 000010
【図３】
2011112638.tif 000011
【図４】
2011112638.tif 000012
【図５】
2011112638.tif 000013
【図６】
2011112638.tif 000014
【図７】
2011112638.tif 000015
【手続補正書】
【提出日】平成23年1月5日(2011.1.5)
【手続補正１】
【補正対象書類名】特許請求の範囲
【補正対象項目名】全文
【補正方法】変更
【補正の内容】
【特許請求の範囲】
【請求項１】
水準器の一端に指を着脱自在にできる指装着部を設けて、前記水準器と前記指装着部との間に弾力を持った材質で接合する。よって指の圧力により測定部材に密接できることを特徴とする水準器。
【手続補正２】
【補正対象書類名】明細書
【補正対象項目名】全文
【補正方法】変更
【補正の内容】
【発明の詳細な説明】
【技術分野】
【０００１】  本発明は、  本発明は、取付体を支持して水平、若しく垂直を測定しながら壁面等に取付できる水準器に関する。
【背景技術】
【０００２】  従来、水準器を用いて取付体を壁面等に取付けるさい、水平、若しくは垂直を正確に測定しながら取付けにおいて、水準器が落下しないように工夫をする必要がある。【０００３】  また、前記水準器を前期取付けたいに固定することが困難であるとき、前記水準器を前記取付体より着脱して測定を何度か繰り返すことが行はれる。【０００４】  上記に示した、これらのことから作業効率が悪いものである。
【先行技術文献】
【０００５】  そこで、測定物と接する側に磁石を固定し、磁気感応体に自力で接着できる水平器が提案されている。（例えば特許文献１）
【０００６】  また、水準器の一平面を再剥離粘着剤塗布面に形成し、その面に対称方向の平面には永久磁石体を設けてなる取付け具付水準器が提案されている。
【０００７】
【特許文献１】  実用新案公開  昭５４−１７２７５４号広報
【特許文献２】  登録実用新案  第３０１１０９８号広報
【発明の概要】
【発明が解決しようとする課題】
【０００８】  しかしながら、従来のような水平器では下記のような問題がある。
永久磁石を設けたものにおいては、測定部材が鉄で構成の磁性体で磁石を吸着して、測定しながら取り付けが可能であるが、非磁性体では無理が生じる。
また、再剥離粘着剤塗布面を用いた水準器においても、厚みの薄いが材料においては不向きである。例えば配線器具のコンセントプレート、モールド等様々である。【０００９】  そこで本発明は、上記の課題に鑑みて、水準器の一端に指を挿入できる筒状を形成する。前記筒状に指を挿入によって水準器を保持して取付体の水平、若しくは垂直を測定しながら、他の指で取付体を支持することで壁面等に取付工事ができるものである。
【課題を解決するための手段】
【００１０】  上記目的を達成するために、本発明は水準器の一端に指を着脱自在にできる指装着部を設けて、前記水準器と前記指装着部との間に弾力を持った材質で接合する。よって指の圧力により取付体に密着できることを特徴とする。
【発明の効果】
【００１１】  本発明は、以上説明したように構成されているので、以下に記載されているような効果を奏する。【００１２】  本発明の水準器は、取付体に対して測定を継続しながら取付体の取り付け作業ができる。よって水準器を取付体に固定できない状況であっても、水平、若しくは垂直を正確にして壁面等に取付工事ができ作業の効率を高めることができるものである。特に肉厚の薄い材料、例えば電気工事のコンセントプレートなど、あるいは垂直に取付ける材料、例えばアンテナのマスト、配管工事などである。
【図面の簡単な説明】
【００１３】
【図１】本発明の実施例を示す水準器の斜視図である。
【図２】図１の平面図である。
【図３】図１の垂直気泡管側より見た前面図である。
【図４】図１の指装着部側より見た後面図である。
【図５】本発明の接続部の弾力性を示した状態の側面図である。
【図６】本発明の水準器を用いて、取付体を壁面に取り付ける要部正面図である。
【図７】垂直気泡管を基準底面に対して直角に設けた側面図である。
【発明を実施するための形態】
【００１４】  本発明の実施の形態について図面を参照して説明する。
【００１５】図１、図２、図３、図４は本発明に係る水準器の実施例の図である。
図１は水準器の一端に指装着部を設けた斜視図、図２は図１の平面図である。
図４は接続部の弾力性を示すもので、弾力によって上下に作用する状態の側面図
図６は取付体を壁面に取付るとき水準器を用いて行う正面図である。
【００１６】  図中の１は水準器で、６は基準底面、２は水平気泡管で、基準底面６を水平状態にしたとき水平測定ができるように設ける。３は水平気泡、４は垂直気泡管で、基準底面６を垂直状態にしたとき垂直測定ができるように設ける。５は垂直気泡である。１０は指、７は指装着部で水準器１の一端に設けて、８の指挿入口を形成している。９は水準器１と指装着部７の接続部で弾力性を持っている。また、基準底面６は変形のない硬い材質で底面を構成する。また１１は取付体、１２は壁面である。１３は取付体の上面である。
【００１７】  したがって、上記の構成により壁面１２に取付体１１を水平に取り付ける作業において、水準器１一端の指装着部７の指挿入口８に何れかの指１０を挿入して水準器１を保持する。ここで図６に示すごとく壁面１２に取付体１１を仮止めの状態で指１０の保持した水準器１によって取付体１１の上面１５に水準器１の基準底面６を接触する、上面１３に接触のさい指１０の押圧によって接触させる。このとき押圧とともに接続部９の弾力性により曲がりやすいことから水準器１と上面１３に密着する。よって、水平の測定をしながら、他の指によって取付体１１を支持する。ここで水平気泡管２の水平気泡３見ながら水平測定し、取付体１１の水平位置が確定をしてその時点で取付体１１を支持した指で位置変化しないようにしながら、他方の手によって取付体１１を固定する作業をおこなうことで、固定作業中に水準器１による測定を継続しながらできる。よって測定の再確認することなく正確で効率の良い作業ができるものである。
【００１８】  また、垂直工事におけるアンテナ工事のマスト工事や配管工事においては、前記水平の測定作業と同様にして、指１０で保持した水準器１の基準底面６をマスト、あるいは配管に接し、指１０によってお指圧しながら、他の指でマスト、あるいは配管を支持しながら垂直気泡管４の垂直気泡５の中央の位置を見ながら測定し、位置確定をしてマスト、あるいは配管を固定する作業を行うものである。
【００１９】  これらの作業として、例えば電気工事のコンセント工事の連続作業、エアコンの取り付け板、分電盤、スイッチボックス、換気扇等などである。
【００２０】  また、図７は１Ａは水準器、２Ａは水平気泡管、３Ａは水平気泡、４Ａは垂直気泡管、５Ａは垂直気泡、６Ａは基準底面、７Ａは指装着部、９Ａは接続部である。
垂直気泡管４Ａを基準底面６Ａに対して直角に設けた構造で、前記図１から図６に示した構造と同様の効果である。
【００２１】  なお、水準器１本体と指装着部７の間の接続部９にバネ材を設けて、バネの反発力によって取付体１１の上面１３に密接することで効果的作業ができる。
【符号の説明】
【００２２】１、１Ａは水準器
２、２Ａは水平気泡管
３、３Ａは水平気泡
４、４Ａは垂直気泡管
５、５Ａは垂直気泡
６、６Ａは基準底面
７、７Ａは指装着部
８は指挿入口
９、９Ａは接続部
１０は指
１１は取付体
１２は壁面
１３は上面
【手続補正３】
【補正対象書類名】図面
【補正対象項目名】全図
【補正方法】変更
【補正の内容】
【図１】
2011112638.tif 000016
【図２】
2011112638.tif 000017
【図３】
2011112638.tif 000018
【図４】
2011112638.tif 000019
【図５】
2011112638.tif 000020
【図６】
2011112638.tif 000021
【図７】
2011112638.tif 000022